(57)【要約】【課題】リント捕獲器を取り出した状態で、外箱の天板部の開口からリント捕獲器収容部に異物が入ったとしても、その異物が接続口部から乾燥槽側へ落ち込み難くできる衣類乾燥機を提供する。【解決手段】リント捕獲器収容部１１からリント捕獲器２０を取り出した状態では、リント捕獲器収容部１１の開口部１１ａが天板部２ｃの開口部２ｄを通して外部に露出する。この開口部２ｄ及び開口部１１ａから異物がリント捕獲器収容部１１内に入ると、接続口部３３の開口部３４から排気ダクト１０側へ異物が侵入するおそれがある。そこで、接続口部３３を、排気ダクト１０側の先端部が基端部より高くなるように前上がりに傾斜させて、異物が接続口部３３内へ入ったとしても、排気ダクト１０側へは侵入し難くした。【選択図】図１
2011115439.tif 000002
【特許請求の範囲】
【請求項１】
外箱と、
この外箱の内部に設けられ、温風入口部と温風出口部を有するとともに内部に衣類が収容される乾燥槽と、
この乾燥槽の外部において前記温風入口部と前記温風出口部とを連通し、且つ一部が前記外箱の天板部裏面側に位置する循環風路を有し、この循環風路に送風手段、除湿手段及び加熱手段を有し、前記送風手段及び加熱手段により生成した温風を前記温風入口部から前記乾燥槽内へ供給し、前記温風出口部から出た温風を前記除湿手段により除湿し、前記送風手段及び加熱手段により再度温風化して前記乾燥槽内に供給することを繰り返す乾燥装置と、
前記循環風路における前記外箱天板部裏側に位置する部分に設けられ、上面が前記外箱の天板部で開口する通風可能なリント捕獲器収容部と、
このリント捕獲器収容部に着脱可能に収容されてリントを捕獲するリント捕獲器と、
前記循環風路において前記温風出口部から出た温風を前記リント捕獲器収容部へ送る部分に設けられた排気ダクトと、
前記リント捕獲器収容部に前記排気ダクトを接続するために設けられた筒状の接続口部と、を備え、
前記接続口部を、前記排気ダクト方向における先端側が基端側より高くなるように傾斜させたことを特徴とする衣類乾燥機。
【請求項２】
前記接続口部は円筒状をなし、前記接続口部の中心軸線の長さ寸法は、前記接続口部の基端部における開口部の半径寸法より大きいことを特徴とする請求項１に記載の衣類乾燥機。
【請求項３】
前記接続口部の基端部における開口部には異物侵入防止用の柵が設けられ、その柵の目は、下部が上部より密であることを特徴とする請求項１または請求項２に記載の衣類乾燥機。
【請求項４】
前記リント捕獲器収容部から前記リント捕獲器を取り出すことに伴い、前記リント捕獲器収容部の上面開口部を閉鎖する天板部用シャッタを設けたことを特徴とする請求項１から３のいずれか１項に記載の衣類乾燥機。
【請求項５】
前記リント捕獲器収容部から前記リント捕獲器を取り出すことに伴い、前記接続口部の基端部における開口部を閉鎖する接続口部用シャッタを設けたことを特徴とする請求項１から４のいずれか１項に記載の衣類乾燥機。
【発明の詳細な説明】
【技術分野】
【０００１】
本発明は、乾燥槽に連通する循環風路にリント捕獲装置を備えた衣類乾燥機に関する。
【背景技術】
【０００２】
従来、衣類乾燥機、例えばドラム式洗濯乾燥機においては、内部を乾燥室とする水槽（乾燥槽）を備え、この水槽の外部に当該水槽に連通接続された乾燥用の循環風路を設けたものが開示されている（例えば、特許文献１参照）。このものにおいて、循環風路中には、送風手段としての送風ファンと、蒸発器などの除湿手段と、凝縮器などの加熱手段とが設けられている。
【０００３】
このような構成では、送風ファンが駆動されることに伴い、その送風作用により、乾燥室内の空気が循環風路を通して循環される。このとき、加熱手段により加熱された乾燥用の温風が循環風路から乾燥室内に供給され、その温風により、乾燥室内に収容された衣類が加熱され、その温風が衣類の湿気を奪う。そして、衣類の湿気を奪った空気は循環風路に排出されて、除湿手段にて除湿され、その除湿された空気が再び加熱手段にて加熱されて乾燥室内に供給されることを繰返すことで、衣類の乾燥が行われる。また、このものでは、循環風路中にリント捕獲装置を設けていて、衣類から発生するリントを捕獲するようにしている。
【０００４】
このリント捕獲装置は、外箱天板部の裏側付近に存する循環風路に、該外箱天板部で開口する通風可能なリント捕獲器収容部（フィルタ室）を設け、上面に前記外箱天板部開口を閉塞する蓋部を備えたリント捕獲器（フィルタ）を、該リント捕獲器収納部に、上方から着脱可能に挿入配置する構成となっている。該リント捕獲器収容部には短円筒状の接続口部（循環空気導入口）が設けられ、この接続口部には、一端部が水槽に連通し、乾燥室内の温風を排気する排気ダクト（循環空気導入管路）が接続されている。
【０００５】
上記構成のものの場合、リント捕獲器を取り出すと、前記外箱天板部の開口が露出するため、この開口から異物がリント捕獲器収納部に落下侵入し、前記接続口部から前記水槽側へ落ち込むおそれがある。そこで、上記した特許文献１のものでは、当該接続口部（循環空気導入口）に格子目（柵）を形成するとともに格子目を有するカバーを設けて、接続口部に異物が落ち込むのを防止する構成としている。
【先行技術文献】
【特許文献】
【０００６】
【特許文献１】特開２００８−７９８５８号公報
【発明の概要】
【発明が解決しようとする課題】
【０００７】
しかしながら、上記特許文献１の構成の場合、接続口部の格子目の間には隙間があり、この隙間から、依然として異物が侵入し、水槽側へと落ち込む可能性がある。また、リント捕獲器を着脱し易いように、リント捕獲器収容部の着脱経路を前上がりに傾斜させていることにより、接続口部が前下がりの傾斜となっている。このため、異物が接続口部を通して水槽側へ落ち込み易いという問題点を有している。
【０００８】
本発明は上述の事情に鑑みてなされたものであり、その目的は、リント捕獲器を取り出した状態で、外箱の天板部の開口からリント捕獲器収容部に異物が入ったとしても、その異物が接続口部から乾燥槽側へ落ち込み難くできる衣類乾燥機を提供することにある。
【課題を解決するための手段】
【０００９】
上記目的を達成するために、本発明の衣類乾燥機は、外箱と、この外箱の内部に設けられ、温風入口部と温風出口部を有するとともに内部に衣類が収容される乾燥槽と、この乾燥槽の外部において前記温風入口部と前記温風出口部とを連通し、且つ一部が前記外箱の天板部裏面側に位置する循環風路を有し、この循環風路に送風手段、除湿手段及び加熱手段を有し、前記送風手段及び加熱手段により生成した温風を前記温風入口部から前記乾燥槽内へ供給し、前記温風出口部から出た温風を前記除湿手段により除湿し、前記送風手段及び加熱手段により再度温風化して前記乾燥槽内に供給することを繰り返す乾燥装置と、前記循環風路における前記外箱天板部裏側に位置する部分に設けられ、上面が前記外箱の天板部で開口する通風可能なリント捕獲器収容部と、このリント捕獲器収容部に着脱可能に収容されてリントを捕獲するリント捕獲器と、前記循環風路において前記温風出口部から出た温風を前記リント捕獲器収容部へ送る部分に設けられた排気ダクトと、前記リント捕獲器収容部に前記排気ダクトを接続するために設けられた筒状の接続口部と、を備え、前記接続口部を、前記排気ダクト方向における先端側が基端側より高くなるように傾斜させたことを特徴とする。
【発明の効果】
【００１０】
上記手段によれば、リント捕獲器収容部に設けた接続口部を、排気ダクト方向における先端側が基端側より高くなるように傾斜させているので、リント捕獲器を取り出した状態で、外箱の天板部の開口から異物がリント捕獲器収容部に入ったとしても、異物は当該接続口部から排気ダクト側へは侵入し難くなり、よって異物が乾燥槽側へ落ち込み難くできる。
【図面の簡単な説明】
【００１１】
【図１】本発明の第１の実施形態を示すリント捕獲器収容部付近の縦断側面図
【図２】ドラム式洗濯乾燥機の外観斜視図
【図３】ドラム式洗濯乾燥機の外箱内部の機構部部分を後方から見た斜視図
【図４】リント捕獲器を取り出した状態でのリント捕獲器収容部を上方から見た斜視図
【図５】リント捕獲器単体の斜視図
【図６】リント捕獲器を分離した状態で示す図１相当図
【図７】本発明の第２の実施形態を示す接続口部付近の縦断側面図
【図８】本発明の第３の実施形態を示す接続口部を内側から見た図
【図９】本発明の第４の実施形態を示す図６相当図
【図１０】本発明の第５の実施形態を示す図６相当図
【図１１】本発明の第６の実施形態を示す図４相当図
【発明を実施するための形態】
【００１２】
［第１の実施形態］
以下、本発明をドラム式洗濯乾燥機に適用した第１の実施形態について図１〜図６を参照して説明する。
まず、衣類乾燥機としてのドラム式の洗濯乾燥機の全体の外観を示す図２において、洗濯乾燥機１の外箱２は略矩形箱状をなし、底部に台板２ａが設けられている。外箱２の前面カバー２ｂは前下がりの傾斜状をなしている。この前面カバー２ｂの略中央部には、洗濯物出入口（図示しない）を開閉する扉３が設けられている。
【００１３】
前面カバー２ｂの上部には各種の操作スイッチや表示部などを備えた操作パネル４が設けられ、左上部には引出し式の洗剤投入ケース５が設けられている。操作パネル４は、外箱２の内側（前面カバー２ｂの裏側）に設けられた制御装置（図示しない）に接続されている。
【００１４】
図３に示すように、外箱２内には、後面が閉塞された略円筒状をなす乾燥槽兼水槽である外槽６が配設されている。この外槽６は、軸方向が前後方向の横軸状態で、且つ、後下がりにやや傾斜した状態で、台板２ａ上に弾性支持機構７を介して弾性的に支持されている。この外槽６の前面の開口部は、洗濯物出入口に連通している。外槽６は、前部の上面に温風出口部６ａを有するとともに、後部背面の上部に温風入口部６ｂを有している。
【００１５】
外槽６内には、図示しないが多数の小孔を有すると共にバッフルを備えた回転ドラムが回転可能に配設されている。この回転ドラムは乾燥時には、衣類撹拌用であり、洗濯時には、洗濯槽として作用し、脱水時には脱水槽として作用する。この回転ドラムは、外槽６後面に設けたモータ８により回転駆動されるようになっている。
【００１６】
外槽６の外部において、前記温風出口部６ａと温風入口部６ｂとの間には、乾燥用の循環風路９が連通接続されている。この循環風路９は、製作上いくつかの通風ダクト、或いは通風ダクト機能を有する構成部材を接続して構成されていて、主に、前記温風出口部６ａ側から、一端部が温風出口部６ａに接続された排気ダクト１０、リント捕獲器収容部１１、連結ダクト１２、垂下ダクト１３、除湿器１４のダクト１４ａ、送風装置１５のケーシング１５ａ、加熱装置１６のケース１６ａ、可撓性ダクト１７、及び給気ダクト１８が順に接続され、この給気ダクト１８が温風入口部６ｂに接続されて構成されている。前記循環風路９における前記リント捕獲器収容部１１は、前記外箱２の天板部２ｃ（図２参照）裏面側に位置する。
【００１７】
前記排気ダクト１０及び可撓性ダクト１７は、可撓性のある蛇腹部１９を有し、前記リント捕獲器収容部１１、連結ダクト１２、垂下ダクト１３、除湿器１４、送風装置１５、加熱装置１６は外箱２側に取り付け固定されている。前記排気ダクト１０及び可撓性ダクト１７の蛇腹部１９によって外槽６の振動が循環風路９ひいては外箱２に伝達しにくい構成となっている。
【００１８】
前記除湿器１４は、除湿手段たるもので、ダクト１４ａ内に、上部から冷却水（水道水）を注水することで、内部を通過する温風の湿気を除去（除湿）する構成である。また、送風装置１５は、送風手段たるもので、ケーシング１５ａ内に送風羽根（図示しない）を設けてなり、この送風羽根は送風モータ１５ｂによって回転される。加熱装置１６は、加熱手段たるもので、ケース１６ａ内に電気ヒータ（図示しない）を設けて構成されている。
上記した循環風路９、除湿器１４、送風装置１５、加熱装置１６により乾燥装置が形成されている。
【００１９】
前記リント捕獲器収容部１１は、上面が開口した矩形筒状をなし（図４参照）、上面の矩形状の開口部１１ａは、前記外箱２の天板部２ｃにおいて開口している（図６参照）。天板部２ｃには、前記開口部１１ａに対応する部位に、内周部を開口部２ｄとする立ち下がり部２ｅが矩形の枠状に設けられている。この開口部２ｄの周辺部には、矩形凹状の段部２ｆが形成されている。前記リント捕獲器収容部１１における前記開口部１１ａの周辺部には、側方へ張り出すようにパッキン受け面１１ｂが形成され、このパッキン受け面１１ｂの外周部に立ち上がり部１１ｃが、矩形の枠状に形成されている。この立ち上がり部１１ｃが、前記天板部２ｃの立ち下がり部２ｅの外周部に嵌合していて、リント捕獲器収容部１１の開口部１１ａと天板部２ｃの開口部２ｄとが連通している。
【００２０】
リント捕獲器２０は、図６に示すように、前記開口部２ｄ及び開口部１１ａを通して、前記リント捕獲器収容部１１に対して外箱２の上方から出し入れ可能に装着することができるようになっている。このリント捕獲器２０は、図５に示すように、リントフィルタ２１を有したフィルタケース２２と、このフィルタケース２２の前面開口部を開閉するカバー２３と、フィルタケース２２の上部に固定状態に設けられた蓋部２４とを備えている。このうちフィルタケース２２は、前面が開口した略箱状に形成されていて、その底面と後面と左右両側面に相当する部位にリントフィルタ２１が配置されている。リントフィルタ２１は、通気性を有した網状をなしていている。カバー２３は、複数本のリブ２５によって仕切られた複数の開口部２６を有していて、下端部を支点にしてフィルタケース２２に上下方向に回動可能に設けられている。
【００２１】
蓋部２４は、フィルタケース２２よりも大きな矩形板状をなし、略中央部に手掛け用の孔部２７を有している。その孔部２７には、付勢手段により閉鎖方向に付勢された閉鎖板２８が回動可能に取り付けられている。この蓋部２４は、図１に示すようにリント捕獲器２０がリント捕獲器収容部１１に挿入配置されたときに、該蓋部２４の上面が天板部２ｃの上面と面一になるように、前記段部２ｆに収められる。
【００２２】
フィルタケース２２と蓋部２４との間には、前記開口部１１ａを閉塞する閉塞部２９が設けられている。閉塞部２９は、矩形枠状をなすパッキン取付壁部２９ａを有するとともに、このパッキン取付壁部２９ａの下部に内向きの段部を介して連続する矩形枠状の垂直壁部２９ｂを有し、さらにこの垂直壁部２９ｂの内部空間を閉鎖する閉鎖壁部２９ｃを有する。前記パッキン取付壁部２９ａの外周面には、矩形枠状のパッキン３０が装着されている。このパッキン３０は、全周に末広がり状の薄肉部３０ａを有すると共に、各辺部にこの薄肉部３０ａよりも外方に突出するＬ字状の圧接部３０ｂが形成されている。
【００２３】
リント捕獲器収容部１１内において、上記リントフィルタ２１の下方に対応する部位には、固定リントフィルタ３１が設けられている。この固定リントフィルタ３１は、リントフィルタ２１と同様に、通気性を有した網状をなしていて、フィルタ支持部３２により支持されている。
【００２４】
前記リント捕獲器収容部１１の前面壁１１ｄの略中央部には、通風の入口としての円形の開口が形成され、この開口には、前方に向けて突出する短円筒状の接続口部３３が一体に設けられている。接続口部３３の基端部の開口部３４が、リント捕獲器収容部１１内に連通している。接続口部３３は、先端部が基端部より高くなるように前上がりに傾斜していて、その先端部側に前記排気ダクト１０の他端部が嵌合接続されている。従って、接続口部３３は、排気ダクト１０側の先端部が基端部より高くなるように傾斜している。排気ダクト１０は、外槽６と連通していて、前記温風出口部６ａから出た温風をリント捕獲器収容部１１へ送る部分に設けられている。接続口部３３の基端部の開口部３４部分には、図４に示すように、縦横方向に延びる２本のリブ３５により十字状に構成された異物侵入防止用の柵３６が設けられている。
【００２５】
次に、上述した乾燥装置を備えた洗濯乾燥機１における衣類の乾燥運転について説明する。まず、この乾燥運転に先立って、図１に示すように、リント捕獲器２０をリント捕獲器収容部１１に予め挿入配置しておく。このとき、天板部２ｃの開口部２ｄ及びリント捕獲器収容部１１の開口部１１ａは、蓋部２４にて閉鎖されるとともに、パッキン３０の薄肉部３０ａがパッキン受け面１１ｂに密着することで閉鎖される。また、接続口部３３の基端部の開口部３４にリント捕獲器２０の前面開口部のカバー２３が対向して、排気ダクト１０とリント捕獲器２０内が連通した状態となる。
【００２６】
乾燥運転は、外槽６内の回転ドラム内に衣類を収容し、この回転ドラムをモータ８により低速度で正逆回転させながら、除湿器１４に冷却水が注水され、送風装置１５が駆動され、加熱装置１６が通電発熱されることで実行される。回転ドラムが正逆回転されることで、回転ドラム内に収容された衣類が撹拌される。
【００２７】
送風装置１５の送風作用と加熱装置１６の加熱作用により温風が生成され、この温風は、図３に矢印で示すように、可撓性ダクト１７、給気ダクト１８、温風入口部６ｂを通って外槽６内に供給され、外槽６内の衣類の乾燥に寄与した（水分を奪った）後、温風出口部６ａから出て、矢印で示すように、排気ダクト１０、リント捕獲器収容部１１、連結ダクト１２、垂下ダクト１３、除湿器１４を通る。この除湿器１４において、温風中の湿気が除去され、再び、送風装置１５、加熱装置１６により温風化されることが繰り返される。このようにして外槽６内の衣類（回転ドラム内の衣類）が乾燥される。
【００２８】
このような温風の循環時において、図１の矢印で示すように温風がリント捕獲器収容部１１内のリント捕獲器２０を通過する際に、この通過時に温風に含まれるリントの大半がリントフィルタ２１により捕獲され、リントフィルタ２１を通過したリントも固定リントフィルタ３１により捕獲される。
【００２９】
一方、リント捕獲器２０におけるリントフィルタ２１を点検、或いは掃除する場合には、まず、使用者は、外箱２の外部から、リント捕獲器２０における蓋部２４の閉鎖板２８を手指にて押して回動させ、その手指を孔部２７に挿入して当該孔部２７の縁部に手指を掛ける。そして、使用者は、蓋部２４ごとリント捕獲器２０を持ち上げて、前記リント捕獲器収容部１１の開口部１１ａ及び天板部２ｃの開口部２ｄから取り出す（図６参照）。この後、リント捕獲器２０のカバー２３を開けて、リントフィルタ２１の点検、掃除を行う。
【００３０】
点検、掃除が終わったら、カバー２３を閉めた後、使用者は、蓋部２４の閉鎖板２８を手指にて押して回動させ、その手指を孔部２７に挿入して当該孔部２７の縁部に手指を掛けた状態でリント捕獲器２０を手に持つ。そして、外箱２の外部から、そのリント捕獲器２０のフィルタケース２２部分を前記開口部２ｄ及び開口部１１ａに通して、外箱２内のリント捕獲器収容部１１内に挿入することで、リント捕獲器２０をリント捕獲器収容部１１に装着する。このとき、天板部２ｃの開口部２ｄ及びリント捕獲器収容部１１の開口部１１ａは、蓋部２４にて閉鎖されるとともに、パッキン３０の薄肉部３０ａがパッキン受け面１１ｂに垂直方向から横ずれなく密着することで確実に閉鎖される。
また、上記リント捕獲器２０の挿入時において、パッキン３０の圧接部３０ｂが立ち下がり部２ｅに圧接し、振動などでは該リント捕獲器２０が抜脱方向へ動くことを防止している。
【００３１】
ここで、リント捕獲器２０を取り出した状態においては、リント捕獲器収容部１１の開口部１１ａが天板部２ｃの開口部２ｄを通して外部に露出している。このため、この開口部２ｄ及び前記開口部１１ａから異物がリント捕獲器収納部１１内に落下侵入するおそれがある。万一、リント捕獲器収納部１１内に異物が落下侵入した場合、連結ダクト１２側へは、固定リントフィルタ３１があるため、異物が侵入し難い。一方、接続口部３３の基端部の開口部３４には、２本のリブ３５により構成された柵３６が設けられているものの、この柵３６には隙間があるため、この隙間から排気ダクト１０側へ異物が侵入する可能性がある。
【００３２】
しかし、上述したように、接続口部３３は、排気ダクト１０側の先端部が基端部より高くなるように前上がりに傾斜しているので、上記した隙間から異物が当該接続口部３３内へ入ったとしても、排気ダクト１０側へは侵入し難い。すなわち、当該接続口部３３内に入った異物が、接続口部３３内の傾斜を駆け上がって、排気ダクト１０内へ侵入するようなことは起き難い。よって、異物が外槽（乾燥槽）６側へ落ち込み難くできる。
【００３３】
以下、本発明の第２、第３、第４、第５、第６の実施形態について、図７〜図１１を参照して説明する。なお、図７〜図１１には上記第１の実施形態と同一部分には同一の符号を付して説明を省略し、異なる部分についてだけ説明する。
【００３４】
［第２の実施形態］
図７に示す第２の実施形態においては、接続口部３３に代わって、これよりも長い接続口部３７が設けられている。この接続口部３７は、円筒状をなし、接続口部３７の中心軸線Ｃの長さ寸法Ｌ１が、接続口部３７の基端部における開口部３８の半径寸法Ｌ２より大きくなるように設定されている。また、第１の実施形態と同様に、接続口部３７は、先端部が基端部より高くなるように前上がりに傾斜している。
【００３５】
このような構成とした第２の実施形態では、接続口部３７の中心軸線Ｃの長さ寸法Ｌ１が第１の実施形態の接続口部３３よりも大きくなっていて、異物が接続口部３７内へ入ったとしても、排気ダクト１０側へ侵入するために駈け上がらなければならない傾斜面の長さが長くなっているので、それだけ異物が排気ダクト１０側へ侵入し難くすることができる。
【００３６】
［第３の実施形態］
図８に示す第３の実施形態においては、接続口部３３の基端部の開口部３４に異物侵入防止用の柵３６に代わって、柵３９が設けられている。この柵３９の目は、下部が上部より密であるようにしている。具体的には、縦横方向に延びる２本のリブ３５に加えて、下側の半円部に、縦方向に延びる２本のリブ４０,４１が設けられている。
【００３７】
このような構成とした第３の実施形態においては、開口部３４の下部にリブ４０,４１が増えた分だけ、異物が接続口部３３から侵入し難くすることができ、より異物が外槽６側へ落ち込み難くできる。なお、リブ４０,４１が増えても接続口部３３の通気性にはそれほど影響を与えない。
【００３８】
［第４の実施形態］
図９に示す第４の実施形態においては、リント捕獲器収容部１１の前面壁１１ｄの上部に矩形板状の天板部用シャッタ４２が回動可能に設けられている。この天板部用シャッタ４２は、リント捕獲器収容部１１の上面開口部１１ａを開閉可能に閉鎖するためのもので、メッシュ状のフィルタ部４３と支持枠４４と軸４５とにより構成され、この軸４５を介して、図９に実線で示す位置と二点鎖線で示す位置との間で上下方向に回動可能とされている。軸４５には、ねじりコイルばねからなるばね４６が取り付けられていて、このばね４６により、天板部用シャッタ４２は、開口部１１ａを閉鎖する方向（図９の矢印Ａ方向）に付勢されている。
【００３９】
上記構成において、リント捕獲器収容部１１からリント捕獲器２０が取り出された状態では、天板部用シャッタ４２は、図９に実線で示すように、ばね４６の付勢力により開口部１１ａを閉鎖する位置に回動されて、その位置に保持されるようになっている。
この状態で、リント捕獲器２０を外箱２の上方からリント捕獲器収容部１１に挿入すると、リント捕獲器２０の底部により天板部用シャッタ４２の上面が押されることで、天板部用シャッタ４２は、ばね４６の付勢力に抗して軸４５を中心に下方（図９の矢印Ａとは反対方向）に回動して、リント捕獲器収容部１１の前面壁１１ｄに接する位置に移動し、接続口部３３の開口部３４に対向する状態となる（図９の二点鎖線参照）。この状態では、天板部用シャッタ４２がリント捕獲器２０と接続口部３３の開口部３４との間に挟まれた状態となる。なお、この状態において、天板部用シャッタ４２は、通気性を有しているから、接続口部３３における通風を妨げることはない。
【００４０】
そして、リント捕獲器２０の点検や掃除などのためにリント捕獲器２０をリント捕獲器収容部１１から取り出すと、天板部用シャッタ４２は、図９に実線で示すように、ばね４６の付勢力により開口部１１ａを閉鎖する位置に回動されて、その位置に保持される。
【００４１】
このような第４の実施形態によれば、リント捕獲器２０を取り出した状態で、天板部用シャッタ４２がリント捕獲器収容部１１の開口部１１ａを閉鎖するので、異物がリント捕獲器収容部１１の開口部１１ａからリント捕獲器収容部１１内へ、ひいては排気ダクト１０側へより一層侵入し難くすることができる。
【００４２】
［第５の実施形態］
図１０に示す第５の実施形態においては、リント捕獲器収容部１１の前面壁１１ｄの下部に、前記接続口部３３の基端部における開口部３４を開閉可能に閉鎖する矩形板状の接続口部用シャッタ４７が回動可能に設けられている。この接続口部用シャッタ４７も、メッシュ状のフィルタ部４８と支持枠４９と軸５０とにより構成され、この軸５０を介して、図１０に実線で示す位置と二点鎖線で示す位置との間で上下方向に回動可能とされている。軸５０には、ねじりコイルばねからなるばね５１が取り付けられていて、このばね５１により、接続口部用シャッタ４７は、開口部３４を閉鎖する方向（図１０の矢印Ｂ方向）に付勢されている。また、接続口部用シャッタ４７の先端部には、図１０の実線で示すように、リント捕獲器収容部１１内の後上方に向けて突出するように傾斜した突起状の係合爪５２が設けられている。リント捕獲器２０の底部には、係合爪５２に対応して溝５３が形成されている。溝５３は、対向する２本の支持リブ５４（図１０には一方のみ示す）によって形成されている。
【００４３】
上記構成において、リント捕獲器収容部１１からリント捕獲器２０が取り出された状態では、接続口部用シャッタ４７は、図１０に実線で示すように、ばね５１の付勢力により開口部３４を閉鎖する位置に回動されて、その位置に保持されるようになっている。
この状態で、リント捕獲器２０を外箱２の上方からリント捕獲器収容部１１に挿入すると、接続口部用シャッタ４７の係合爪５２が、リント捕獲器２０の底部の溝５３に相対的に挿入され、その溝５３に沿って摺動移動する。これに伴い、接続口部用シャッタ４７は、ばね５１の付勢力に抗して軸５０を中心に下方（図１０の矢印Ｂとは反対方向）に回動して、固定リントフィルタ３１の上面に係合爪５２が当接する位置に移動し、固定リントフィルタ３１と対向する状態となる（図１０の二点鎖線参照）。この状態では、接続口部用シャッタ４７がリント捕獲器２０の底面と固定リントフィルタ３１との間に挟まれた状態となる。なお、この状態において、接続口部用シャッタ４７は、通気性を有しているから、リント捕獲器２０内から連結ダクト１２への通風を妨げることはない。
【００４４】
このような第５の実施形態によれば、リント捕獲器２０を取り出した状態で、接続口部用シャッタ４７が接続口部３３の開口部３４を閉鎖するので、異物が開口部３４から接続口部３３側へより侵入し難くすることができ、異物が接続口部３３から外槽６側へより一層落ち込み難くできる。
【００４５】
［第６の実施形態］
図１１に示す第６の実施形態においては、前記接続口部３３の基端部の開口部３４のリント捕獲器収容部１１側に、当該開口部３４を閉鎖するようにメッシュ５５が固定状態に設けられている。このメッシュ５５は、通気性を有しているから、接続口部３３の通気性を妨げるものではなく、異物がリント捕獲器収容部１１の開口部１１ａから接続口部３３内へ侵入するのを防止するためのものである。
【００４６】
このような構成とした第６の実施形態においては、メッシュ５５により異物が接続口部３３からより侵入し難くすることができ、異物が外槽６側へより一層落ち込み難くできる。
【００４７】
なお、本発明は上記し且つ図面に示した実施形態に限定されることはなく、例えば洗濯機能を有するドラム式洗濯機に限らず、少なくとも乾燥機能を有する衣類乾燥機に適用できるもので、従って乾燥槽としての外槽内に配置されたドラムは衣類の撹拌用として有効ではあるが、これに代えて例えば乾燥槽内に静止状態に衣類などをつり下げ支持する構成としても良い。
【００４８】
また、接続口部３３は、その全体が傾斜する形態としたが、少なくとも底面が傾斜していれば側面や上面は必ずしも傾斜している必要はなく、更には、接続口部３３の先端部以前の途中部分のみが傾斜する形態としても同様の効果を奏することができる。
その他、本発明の要旨を逸脱しない範囲で適宜変更して実施できる。
【符号の説明】
【００４９】
図面中、１は洗濯乾燥機（衣類乾燥機）、２は外箱、２ｃは天板部、２ｄは開口部、６は外槽（乾燥槽）、６ａは温風出口部、６ｂは温風入口部、９は循環風路、１０は排気ダクト、１１はリント捕獲器収容部、１１ａは開口部、１４は除湿器（除湿手段）、１５は送風装置（送風手段）、１６は加熱装置（加熱手段）、１９は乾燥装置、２０はリント捕獲器、３３,３７は接続口部、３４,３８は開口部、Ｃは中心軸線、Ｌ１は中心軸線の長さ寸法、Ｌ２は接続口部の開口部の半径寸法、３６,３９は柵、天板部用シャッタ４２、接続口部用シャッタ４７を示す。
【図１】
2011115439.tif 000003
【図２】
2011115439.tif 000004
【図３】
2011115439.tif 000005
【図４】
2011115439.tif 000006
【図５】
2011115439.tif 000007
【図６】
2011115439.tif 000008
【図７】
2011115439.tif 000009
【図８】
2011115439.tif 000010
【図９】
2011115439.tif 000011
【図１０】
2011115439.tif 000012
【図１１】
2011115439.tif 000013